(57)【特許請求の範囲】
【請求項１】
外科用ステープリング装置（１００）および真空システムであって、該システムは、
外科用ステープリング装置であって、該装置は、本体部分（１０４）、シェルアセンブリ（１０７’）およびアンビル（１０８）を備え、該シェルアセンブリは、該本体部分の遠位端に位置しており、該シェルアセンブリは、ステープルの環状アレイおよび少なくとも１つの開口部（１１６）を備え、該アンビルは、間隔を空けている位置と接近した位置との間に、該シェルアセンブリに関して移動可能に支持されている、装置；ならびに
真空デバイスであって、該真空デバイスは、ハウジングと、真空コンジット（１８６）とを備え、該ハウジングは、該外科用ステープリング装置のシェルアセンブリの少なくとも一部の周囲に位置して真空チャンバ（１８２）を規定しており、該少なくとも１つの開口部は、該真空チャンバ内に位置しており、該真空コンジットは、該真空チャンバと連絡しており、該少なくとも１つの真空チューブ（２００）は、該真空チャンバ内に位置する第１端（２００ａ）と、該シェルアセンブリの内側チャンバ（１５０）内に位置する第２端とを有する、真空デバイス；を備える、システム。
【請求項２】
請求項１に記載のシステムであって、前記少なくとも１つの真空チューブは、複数の真空チューブを包む、システム。
【請求項３】
請求項２に記載のシステムであって、前記真空チャンバ内にスライド可能に位置するマニホルド（２０２）をさらに備え、前記真空チューブの各々の第１端は、該マニホルドに固定されている、システム。
【請求項４】
請求項３に記載のシステムであって、前記マニホルドに作動可能に接続されたアクチュエータ（２０４）をさらに備え、該アクチュエータは、非展開位置と展開位置との間で前記マニホルドおよび前記複数の真空チューブを移動するように移動可能であり、該非展開位置において、前記真空チューブの各々の第２端は、前記シェルアセンブリ内に位置し、該展開位置において、前記真空チューブの各々の第２端は、前記シェルアセンブリの外部に位置する、システム。
【請求項５】
請求項４に記載のシステムであって、前記真空チューブのうちの少なくとも１つは、形状記憶材料から形成されている、システム。
【請求項６】
請求項５に記載のシステムであって、前記複数の真空チューブのうちの少なくとも１つの第２端は、前記展開位置において前記シェルアセンブリの半径方向外側を向いている、システム。
【請求項７】
請求項５または６に記載のシステムであって、前記複数の真空チューブのうちの少なくとも１つの第２端は、前記展開位置において前記シェルアセンブリの半径方向外側に位置する、システム。
【請求項８】
請求項１〜７のいずれか１項に記載のシステムであって、前記シェルアセンブリを通して前記少なくとも１つの真空チューブを方向付けるガイド構造（２１０）を備える、システム。
【請求項９】
請求項１〜８のいずれか１項に記載のシステムであって、前記少なくとも１つの真空チューブの第２端が、前記少なくとも１つの開口部を通って延びる、システム。
【請求項１０】
請求項１〜９のいずれか１項に記載のシステムであって、前記少なくとも１つの真空チューブが、可撓性材料から形成される、システム。
【発明の詳細な説明】
【技術分野】
【０００１】
本開示は、外科用装置（例えば、外科用ファスナーまたはステープラー装置）に関し、より具体的には、外科用手順（直腸粘膜抜去術、直腸肛門固定術（ａｎｏｐｅｘｙ）、吻合術、痔核切除術などが挙げられるが、これらに限定されない）を実施するための環状外科用ステープラーに関する。
【背景技術】
【０００２】
（関連分野の背景）
種々の型の外科用ファスナーアプリケーターおよび／またはステープラーが、近接する組織を結合するために組織にファスナーもしくはステープルを適用するために、公知である。例えば、胃および食道の手術において種々の型のステープラーを使用することが、端端（ｅｎｄ−ｔｏ−ｅｎｄ）、端側（ｅｎｄ−ｔｏ−ｓｉｄｅ）、もしくは側側（ｓｉｄｅ−ｔｏ−ｓｉｄｅ）で実施される古典的胃再構築または改変型胃再構築の両方において、ならびに痔核切除術を実施するために、公知である。
【０００３】
痔核は、肛門の縁または直腸内近傍にある膨張組織中の拡張された静脈の塊である。代表的には、痔核は、例えば、便秘および／または出産からの慢性的緊張によって引き起こされる。肛門管の上皮内層の下にある脈管組織叢は、直腸海綿体または肛門クッションと呼ばれる。この叢は、毛細血管が介在することなく動脈を静脈に接続し、それにより、肛門クッションの脈管構成要素を生成する。これらの動脈静脈チャネルは、このチャネルを通って流れる血液容量を調節することによって、肛門クッションの大きさを制御する。慢性的緊張は、粘膜下線維弾性結合を損傷させ、肛門クッションは、肛門管中へと突出しており、無痛出血を生じ得る（第１度痔核）。肛門管の外側に位置する脱出痔核は、内括約筋の活動によって狭窄され、静脈叢の血栓症を伴う可能性がある（第４度痔核）。この状態は、壊疽を生じ得、膿瘍形成の危険がある。
【０００４】
痔核は、外痔核および内痔核の２つの型があり得る。うねのある歯状線が、肛門の外側から約２．５ｃｍ〜３ｃｍに位置し、肛門から直腸への変化の印となっている。痔核は、この線の前の肛門領域において見出される。内痔核は、一般的には、この線の前の直腸領域において見出され、外痔核は、一般的に、肛門輪の外側にある。内痔核は、一般的に、直腸壁内の粘膜下空間中に位置する動脈静脈吻合または動脈静脈接続から、肛門の外側から約２．５ｃｍ〜５ｃｍに形成され得る。肛門に近いことに起因して、内痔核は、１つの限局領域、１つより多くの限局領域、または直腸の外周に沿ってのいずれかで、直腸壁から突出し得、特定の重篤な症例においては、内痔核は、肛門から外に突出し得る。
【０００５】
広範な種類の外科的方法が、重篤な内痔核の処置のために示唆されている。１つの方法は、閉鎖痔核切除術である。この方法に従って、レトラクタが肛門中に挿入されて、痔核部位への接近が得られる。その後、外科医は、ワニ口クランプを用いてその痔核をクランプ締めし、脈管を結紮し、小刀またはカミソリを用いて直腸壁から痔核を切り離す。一旦、痔核が取り除かれると、その外科部位は、縫合して閉鎖される。その後、レトラクタが、別の位置へと回転され、残った痔核は、その痔核すべてが取り除かれるまで、同様の様式で処置される。
【０００６】
内痔核の除去のための別の方法は、解放痔核切除術である。レトラクタを使用するのではなく、この手順に従って、肛門が、２つの指で拡張され、鉗子が、原発性痔核各々の粘膜皮膚結合部に配置される。この痔核は、引き下げられ、第２の鉗子が、各痔核の大部分に適用されて、「露出三角形」が生じる。次に、クランプ締めされた痔核が、括約筋から茎のできる限り近位で切り離され、次いで、結紮されるかまたは縛られる。閉鎖手順とは異なり、創傷は、縫合閉鎖されず、解放されたままにされ、創傷に対して軽い包帯が適用される。
【０００７】
なお別の痔核切除手順は、歯状線の上の痔核組織を切除する工程、および余分な直腸粘膜を肛門管上皮まで切除し縫合する工程を包含する。この手順は、特に、周縁痔核に関して使用される。
【０００８】
Ｇ．Ａｌｌｅｇｒａ博士による「Ｐａｒｔｉｃｕｌａｒ  Ｅｘｐｅｒｉｅｎｃｅ  ｗｉｔｈ  Ｍｅｃｈａｎｉｃａｌ  Ｓｕｔｕｒｅｓ：Ｃｉｒｃｕｌａｒ  Ｓｔａｐｌｅｒ  ｆｏｒ  Ｈｅｍｏｒｒｈｏｉｄｅｃｔｏｍｙ」と題する論文（補遺１、Ｎａｔｉｏｎａｌ  Ｃｏｎｆｅｒｅｎｃｅ  ｏｆ  ｔｈｅ  Ｉｔａｌｉａｎ  Ｖｉｓｃｅｒｏｓｙｎｔｈｅｓｉｓ  Ａｓｓｏｃｉａｔｉｏｎ  ｉｎ  Ｍａｙ  ２８〜３０，１９８９に提示され、ＧＩＯＲＮ  Ｃｈｉｒ．，Ｖｏｌ．１１，Ｎｏ．３，ｐｐ．９５〜９７，Ｍａｒｃｈ  １９９０において公開された）において、Ａｌｌｅｇｒａ博士は、痔核切除術を実施するための、より簡単でより速い方法を開示した。この論文は、第２度痔核および第３度痔核に対して痔核切除術を実施するための従来の環状ステープラーの使用を開示する。Ａｌｌｅｇｒａ博士により詳述された手順に従うと、肛門は、櫛状線または歯状線の基部に縫合糸の連続する粘膜下環を配置するために、拡張される。次に、従来の環状ステープリング装置の端部エフェクターが、開口され、次いで、患者の肛門中に配置される。その結果、そのステープリング端部エフェクターのアンビルアセンブリは、縫合糸環の遠位にあり、（ステープリング端部エフェクター）のステープリングヘッドアセンブリは、患者の近位外側にあるようなる。この配置によって、縫合糸の自由端を掴むために、外科医が肛門内に達することが可能になる。その後、この縫合糸の自由端が引かれて、閉じた縫合糸の環が引かれ、そして環状ステープリング装置のステープリングヘッドアセンブリにアンビルを接続するアンビルシャフトの周囲の痔核組織が引かれる。次に、外科医は、痔核の塊の上でアンビルを閉じる。ステープラーは、痔核の離断を実施するために発射される。一旦、発射されると、環状ステープリング装置は、離断された痔核が中に捕捉された状態で、肛門から取り除かれる。
【０００９】
Ａｌｌｅｇｒａ博士の手順の１つの限定事項は、外科医が縫合糸の自由端を掴んで肛門とステープリングヘッドアセンブリとの間の隙間を通して縫合糸を肛門の外へと引くことを可能にするために、ステープリングヘッドアセンブリが、患者の近位外側に配置されなければならないということである。肛門とステープリングヘッドアセンブリとの間の隙間は、肛門から縫合糸を引き出すことを許容する必要があり、従って、ステープリング端部エフェクターが肛門中に配置され得る深さを限定する。Ａｌｌｅｇｒａ博士の手順を使用すると、内痔核の場合のように、痔核が肛門管の中により深く位置する場合は、ステープリングヘッドアセンブリが、肛門に入り、外科医が縫合糸の自由端に接近するのを効果的にブロックする。
【００１０】
Ａｌｌｅｇｒａ博士の手順のさらなる限定事項は、従来の環状ステープリング装置のステープリング端部エフェクター中に引き込まれ得る痔核組織の量である。痔核は、歯状線の下に位置する縫合糸の連続する環を縛ることによって、（開放アンビルアセンブリをステープリングヘッドアセンブリにつなぐ）アンビルシャフトの中および周辺に引かれる。この動作は、痔核を、アンビルシャフトの周辺に引くが、痔核をステープリングヘッドアセンブリの内側チャンバ中へと引かない。これにより、ステープリング端部エフェクター中にもたらされ得る痔核組織の量が制限され、外科医は、痔核のほんの一部しか除去し得ない。
【００１１】
Ｌｏｎｇｏらに対する米国特許第６，０８３，２４１号は、環状ステープラーを使用して、患者から内痔核を除去するための方法をまた、開示する。縫合糸は、患者の内痔核の中または上に配置される。縫合糸を掴み、ステープリングヘッドアセンブリ中の通路を通してステープリングヘッドアセンブリのケースの外へとその縫合糸を引き出すために、針フックが使用される。この環状ステープリング装置は、閉じられ、その後、痔核組織をステープリングして切断するように発射され、このステープリング装置は、患者から上記組織を取り出すために患者から取り出される。
【００１２】
Ａｌｌｅｇｒａ博士の手順およびＬｏｎｇｏらの手順の両方の重要な欠点は、それらの手順の複雑性である。各々の手順は、ステープリングおよび切断の前に、痔核組織が縫合されることを必要とする。これは、その手順を実施する時間を有意に増加させ、次いで、患者に対する合併症の確率および外傷の確率を増加する。上記のように、各手順は、一般的には、財布の紐型の縫合糸が、上記組織の一部を露出するためにレトラクタを使用することによって上記組織中にまず縫い込まれること、上記組織の露出部分を縫合すること、レトラクタを縫合部分に近接させて再配置すること、および組織全体が縫合されるまで直腸腔の周縁の周りでこれらの工程を反復することを、必要とする。
【発明の開示】
【発明が解決しようとする課題】
【００１３】
従って、既存の外科用ステープラーよりも複雑ではなくかつ迅速に外科手順を実施し得る、外科用ステープラーおよび／または装置についての必要性が、存在する。さらに、上記の外科手順の間に患者が経験する外傷を減少するステープラーおよび／または装置についての必要性が、存在する。さらに、外科手順を実施する既存の方法よりも複雑でなく時間もかからない上記の外科手順を実施する方法についての必要性が、存在する。
【課題を解決するための手段】
【００１４】
（要旨）
本開示に従って、環状外科用ステープリング装置が、真空デバイスと組み合わせて提供される。上記真空デバイスは、上記外科用ステープリング装置と一体的に形成され得るか、または上記外科用ステープリング装置中に組み込まれ得る。あるいは、上記真空デバイスは、上記外科用ステープリングデバイスに、取り外し可能にかまたは固定的に、固定され得る。
【００１５】
本開示の好ましい一実施形態において、真空デバイスが、外科用ステープリング装置のシェルアセンブリに固定される。上記真空デバイスが、弾性カラー（ｃｏｌｌａｒ）または弾性バンドによって、外科用ステープリング装置のシェルアセンブリに固定され得、その結果、真空源が、上記シェルアセンブリ中の通気孔と連絡するようになる。上記真空デバイスは、上記シェルアセンブリの通気孔のうちの１つ以上に直接固定され得ること、または上記真空デバイスは、上記外科用ステープリング装置のシェルアセンブリの周囲に配置された真空チャンバを備え得ることもまた、企図される。別の好ましい実施形態において、１つ以上の真空チューブが、上記真空チャンバ中に設けられる。各真空チューブは、上記真空チャンバ内に位置する第１端と、上記シェルアセンブリの内側チャンバ内に位置する第２端とを有する。好ましくは、各真空チューブの第１端が、回転可能に配置されたフィンガーアクチュエータに接続された、スライド可能なマニホルド上に支持される。フィンガーアクチュエータが、各真空チューブの第２端を、上記シェルアセンブリの内部チャンバ内の位置から上記シェルアセンブリの外側の位置へと再配置するために、作動可能である。
【００１６】
本開示のなお別の好ましい実施形態において、真空を引くための手段が、上記外科用ステープリング装置中に組み込まれる。好ましい一実施形態において、真空チャネルが、上記外科用ステープリング装置の細長本体およびシェルアセンブリを通して、設けられる。上記真空チャネルの一端は、上記外科用ステープリング装置のアンビルシャフト中に形成される真空開口部と連絡し、上記真空チャネルのもう一端は、真空源と連絡し、この真空源は、外部供給源であっても、上記外科用ステープリング装置内に配置された内蔵ユニットであってもよい。上記アンビルシャフト中の真空開口部は、望ましい任意の構成を有し得る。
【発明を実施するための最良の形態】
【００１７】
本開示は、添付の図面を参照してさらに記載されている。添付の図面において、同様の参照番号は、いくつかの図において同様の部分を指す。
【００１８】
（好ましい実施形態の詳細な説明）
本開示の外科用装置の好ましい実施形態は、ここで、図面を参照して、詳細に記載される。ここで類似の参照番号は、類似の要素または同一の要素を識別する。以下の図面および説明において、用語「近位」とは、従来のように、操作者に最も近いその外科用装置の端部をいう一方で、用語「遠位」とは、その操作者から最も遠い、デバイスの端部をいう。外科用装置および方法の以下の説明は、主に、患者の直腸粘膜組織からの除去に関し、本開示に従う装置は、その直腸粘膜組織の除去に限定されず、さらなるまたは他の外科用手順を行うために使用され得ることが想定される。
【００１９】
本開示において、用語「直腸粘膜除去術」とは、直腸カフ粘膜除去術、環状ステープラー肛門固定術（ａｎｏｐｅｘｙ）、痔核切除術、吻合、結腸切除術（ｃｏｌｏｎｅｃｔｏｍｙ）および身体の内腔の粘膜壁を含む任意の他の手術手順を含むことが理解される。用語「ステープル」または「ファスナー」とは、本開示で使用される場合、単一部品または複数部品（例えば、２つの部品の外科用ファスナー、外科用ステープルなど）を含む。
【００２０】
種々の環状外科用ステープリング装置が周知であることも注目される。本開示は、１つの好ましい環状ステープリング装置を例示するが、本明細書中に提供される教示が、種々の公知のステープリング装置のいずれかに適用され得ることが想定される。
【００２１】
初めに図１を参照すると、本開示に従う外科用ステープリング装置は、一般に、１００とよばれる。外科用ステープリング装置１００は、一般に従来の構造であり、ヨーク１０２、ヨーク１０２から延びる細長本体１０４、カートリッジアセンブリ１０６（図２）を有するように構成および適合され、その遠位端部で内部チャンバ１５０を規定するシェルアセンブリ１０７、ならびにその装置１００の遠位端部におけるアンビルアセンブリ１０８を備える。装置１００は、アンビルアセンブリ１０８をカートリッジアセンブリ１０６に関連して動かすために、装置１００の近位端部において、アンビルアセンブリ１０８から、細長本体１０４を通って、ウィングナット１１０まで、近位に延びる接近機構（示さず）を有する。さらに、１対のハンドル１１２は、装置１００に取り付けられて、外科医の手に握られ、図１において矢印「Ａ」で示されるように、カートリッジアセンブリ１０６からアンビルアセンブリ１０８に向かって、ステープルを発射し、シェルアセンブリ１０７内に移動可能に位置づけられた環状ブレード１３０を作動するために、互いに向かって動かされる。安全ロック１１４はまた、ヨーク１０２の近位端部上に取り付けられる。安全ロック１１４は、互いに向かって、ハンドル１１２の不注意な動きを防止して、そのステープルの速すぎる発射またはその環状ブレードの作動を防止する。当該分野で公知であるように、１以上の適切な通気孔１１６が、カートリッジアセンブリ１０６の内部を通気するために、シェルアセンブリ１０７の円錐部分１１８に設けられる。本開示の一実施形態に従って、これらおよび／または他の通気孔または装置は、シェルアセンブリ１０７の内側チャンバまたは内部チャンバ１５０（図２）に真空を提供するために使用され得るかまたは設けられ得る。他の公知の外科用ステープリング装置は、同一人に譲渡された米国特許第５，９１５，６１６号（Ｖｉｏｌａら）およびＰＣＴ国際出願番号ＰＣＴ／ＵＳ０２／１０７９２（２００２年４月３日出願）に記載され、これらの各々の開示全体は、本明細書中に参考として援用される。同時係属中の出願、標題「Ｓｕｒｇｉｃａｌ  Ｓｔａｐｌｅｒ  Ａｐｐａｒａｔｕｓ  Ａｎｄ  Ｍｅｔｈｏｄ」（本願と同日に出願された、速達郵便発送番号ＥＶ１４９０２２９６２ＵＳの下で出願）もまた、本明細書中にその全体が参考として援用される。
【００２２】
図２を参照すると、一般に、環状外科用ステープリング装置は、そのアンビルアセンブリ１０８（図１）のアンビルシャフト１２２を、外科用ステープリング装置１００の接近機構に固定するためのアンビル保持具（ｒｅｔａｉｎｅｒ）１２０を備える。その接近機構は、例えば、ウィングナット１１０を介して作動して、細長本体１０４内のアンビル保持具１２０を往復運動させ、従って、細長本体１０４およびシェルアセンブリ１０７内にアンビルシャフト１２２を往復させることが可能である。細長本体１０４内のアンビルシャフト１２２の往復は、間隔を空けられた位置と近づけられた位置との間で、シェルアセンブリ１０７に関連するアンビルアセンブリ１０８の動きをもたらす。プッシャーアセンブリもまた、提供され、このプッシャーアセンブリは、プッシャーバック１２４およびステープルドライバ１２６を備える。プッシャーバック１２４は、細長本体１０４内に、例えば、ハンドル１１２の操作を介して動かされて、ステープルドライバ１２６および環状ナイフブレード１３０をカートリッジアセンブリ１０６に通して進み、ステープルまたはファスナー１２８をカートリッジアセンブリ１０６から出し、組織を切断する。
【００２３】
ここで図２および２Ａを参照すると、本開示の環状ステープリング装置１００の好ましい実施形態において、弾性またはエラストマーのカラーまたはバンド１４０を備える真空デバイスが設けられ、その真空デバイスは、環状弾性バンド本体１４２および可撓性真空コンジット１４４を備える。真空コンジット１４４は、バンド本体１４２に形成されるポート１４６と連絡する第１の端部を有する。コンジット１４４の第２の端部（示さず）は、真空源と連絡するように適合される。真空コンジット１４４は、バンド本体１４２と一体して形成され得るか、または代わりに、適切なコネクタ（例えば、ねじ、インターロッキング構造など）を用いてバンド本体に固定される。弾性バンド１４２は、好ましくは、エラストマーであるネオプレンまたは天然もしくは合成のゴムから形成されるが、他の弾性および非弾性の材料が、使用されてもよい。バンド１４２は、シェルアセンブリ１０７の円錐部分１１８の周りを好ましくはぴったりと受容するような寸法にされ、バンド本体１４２のポート１４６が、好ましくは、シェルアセンブリ１０７における１以上の通気孔１１６および／または他の開口部もしくは隙間（ｃｌｅａｒａｎｃｅ）と連絡する。残りの通気孔１１６は、バンド本体１４２により液密シールされている。
【００２４】
使用時に、装置１００の遠位端部が管腔（例えば、肛門）内に配置され、真空が、真空コンジット１１４およびバンド本体１４２におけるポート１４６を通して引かれ、低圧領域または真空が、シェルアセンブリ１０７に規定された内側チャンバ１５０内に作り出される。この真空または低圧領域は、組織（例えば、管腔の粘膜壁）が、アンビルシャフト１２２の周りのシェルアセンブリ１０７の内側チャンバ１５０に吸引されるかまたは引っ張られる。従って、装置１００が近づくと、すなわち、アンビルシャフト１２２が、細長本体１０４へと引っ込められると、組織は、アンビルアセンブリ１０８とカートリッジアセンブリ１０６との間に捕捉される。その後、装置１００は、上記の様式で発射されて、組織をステープルし得かつ切断し得る。
【００２５】
図３を参照すると、真空コンジット１４４が、弾性バンド以外の手段を使用して、通気孔およびまたは他の開口部もしくは隙間１１６に取り付けられ得ることもまた企図される。例えば、直接または関節に接続される、いずれかの部材または両方の部材に対する連結（例えば、スクリュー継手（ｓｃｒｅｗ  ｆｉｔｔｉｎｇ）１５２、クイック切断継手（ｑｕｉｃｋ  ｄｉｓｃｏｎｎｅｃｔ  ｆｉｔｔｉｎｇ）、摩擦ばめなど）は、真空コンジット１４４を、１以上の孔１１６（１つが示される）に取り付けるか、またはその孔と連絡させるために使用され得る。その残りの孔１１６は、任意の公知の技術を使用してシールされ得るか、または代わりに、装置１００は、単一の孔１１６のみが設けられ得る。
【００２６】
図４〜図１１は、現在開示される環状ステープリング装置の種々の代替的実施形態を図示し、各々は、シェルアセンブリの内部チャンバ中に真空を適用するかまたは真空を引くための異なる手段を備える。本明細書において示される実施形態のうちの多くは外部真空源を備えるが、上記の各装置が、内蔵真空ユニットを備えるように構成および適合され得ることが構想される（例えば、真空ユニットは、環状ステープリング装置のハンドルアセンブリもしくは細長本体の中に含まれ得る）。開示される環状ステープリング装置の各々はまた、ロボット制御され遠隔的に作動されるシステムに組み込まれるように適合され得る。したがって、真空源は、ロボットシステムにおけるように、遠隔操作され得るか、または遠隔ユニットもしくは制御ボックス内に配置され得る。
【００２７】
図４に示される環状ステープリング装置の実施形態を参照すると、真空チャネル１６０が、プッシャーバック１２４、アンビル保持具１２０およびアンビルシャフト１２２を通じて設けられる。特定のステープラーに依存して、これらの部品は、中空であっても中実であってもよい。この部品が中実である場合、チャネル１６０は、特定の部品内に形成されなければならない（すなわち、成形されるかもしくは穿孔されねばならない）。一以上の真空開口部１６２が、アンビルシャフト１２２に設けられる。一つだけの開口部１６２がアンビルシャフト１２２に設けられる場合、この開口部は、好ましくは、内部チャンバ１５０内もしくは内部チャンバ１５０の近くに配置されるべきである。開口部１６２は、環状、楕円、細長チャネル１６２ａ（図５）、または通気を可能にする他の任意の構造であり得る。真空源（示されない）は、真空チャネル１６０に流体接続される。上記で考察されるように、この真空源は、外部真空ユニットであっても、またはこの装置のハンドルアセンブリもしくは細長本体中に担持される内蔵真空ユニット（示されない）であってもよい。外部真空源が設けられる場合、入口ポート（示されない）が、真空チャネル１６０に接続するアンビル保持具１２０の任意の近位位置において、装置内に設けられ得る。図２に関して上記で考察されるように、真空が真空チャネル１６０を通じて引かれる場合、低圧領域１６６が、シェルアセンブリ１０７の内部チャンバ１５０内、およびシェルアセンブリ１０７とアンビルアセンブリ１０８との間の領域に作られる。この低圧領域は、アンビルアセンブリ１０８のアンビルシャフト１２２の周りの管腔の内壁１７０からシェルアセンブリ１０７の内部チャンバ１５０中へと組織を引きこむように機能する。次いで、組織は、上記で考察された様式で切断されて、固定される。
【００２８】
図６に示される環状ステープリング装置は、真空チャネル１６０が、プッシャーバック１２４、アンビル保持具１２０およびアンビルシャフト１２２を通じて設けられるという点で、図４および図５に示される装置と同様である。しかし、真空チャネル１６０はまた、アンビルシャフト１２２を貫いて形成される環状の一連の半径方向ポート１６０ａを備える。このポートは、アンビルアセンブリ１０８およびカートリッジアセンブリ１０６が間隔を空けた関係にある場合、好ましくはシェルアセンブリ１０７の内部チャンバ１５０内に配置される。この装置は、上記で考察されると同様の様式で作動する。本明細書におけるこの実施形態、または他の実施形態において、ポートは、アンビルシャフト１２２を通して延びる主真空チャネルから延びる半径方向通路によって供給され得る。
【００２９】
図７を参照すると、真空デバイスは、細長本体１０４の遠位端の周りに配置される中空スリーブ１８０を備え得る。このスリーブ１８０は、真空チャンバ１８２を規定する。このスリーブ１８０は、真空チューブ１８６と接続する出口ポート１８４を備える。中空スリーブ１８０の遠位端１８０ａは、シェルアセンブリ１０７’またはシャフト１０４の孔および／もしくは他の開口部または隙間（ｃｌｅａｒａｎｃｅ）１１６が真空チャンバ１８２内に配置されるように、シェルアセンブリ１０７’の円錐部分１１８上に配置される。このように、真空が真空チューブ１８６を通じて引かれる場合、低圧領域が、真空チャンバ１８２およびシェルアセンブリ１０７’の内部チャンバ１５０内、ならびにシェルアセンブリ１０７’とアンビルアセンブリ１０８との間に規定される空間に、作られる。低圧領域は、上記で考察されるように、粘膜組織を管腔壁１７０からアンビルシャフト１２２に向けて引き出し、かつシェルアセンブリ１０７の内部チャンバ１５０内に引き入れる。
【００３０】
シェルアセンブリ１０７’は、内部チャンバ１５０内により広い非閉塞領域を規定するように環状ナイフブレード１３０’の直径が増加していることを除いて、図２〜図６に示されるシェルアセンブリ１０７と実質的に同一である。環状ナイフブレード１３０’の半径方向の外部もしくは外側方向にあるカートリッジアセンブリの他の周辺要素間の空間もまた、好ましくは圧縮される。図示されるように、環状ナイフ１３０’の外径は、カートリッジ１０６の内径に実質的に等しい。このように、使用中に大量の組織が切断され得、そしてシェルアセンブリ１０７’内に保持され得る。
【００３１】
図８〜図１１を参照すると、中空スリーブ１８０に加えて、真空デバイスは、真空チャンバ１８２内から、シェルアセンブリ１０７’の孔１１６を通ってシェルアセンブリ１０７’の内部チャンバ１５０内へと延びる一以上の真空チューブ２００を備え得る。好ましい一実施形態において、複数の真空チューブ２００が設けられる。各真空チューブは、スライド可能な環もしくはマニホルド２０２に固定された第１端２００ａを備える。マニホルド２０２は、真空チャンバ１８２内にスライド可能に担持されて、リンク２０６によってフィンガーアクチュエータ２０４に固定される。リンク２０６は、マニホルド２０２およびフィンガーアクチュエータ２０４と一体的に形成される。あるいは、これらの要素は、個別に形成されて、公知の固定技術を用いて互いに固定される。フィンガーアクチュエータ２０４は、細長本体１０４の外部表面に沿ってスライド可能であり、マニホルド２０２および真空チューブ２００を、引込み（非展開）位置（図８）と前進（展開）位置（図１０）との間で動かす。フィンガーアクチュエータ２０４は、細長本体１０４上に配置されて示されるが、適切な連結が、フィンガーアクチュエータをハンドル１１２（図１）の隣に配置するために設けられ得る。ガイド構造２１０が、シェルアセンブリ１０７’内に提供されて、シェルアセンブリ１０７’を通して真空チューブ２００を方向付ける。
【００３２】
真空チューブ２００は、好ましくは可撓性材料（例えば、プラスチック、ゴム、金属、金属製形状記憶材料もしくはプラスチック製形状記憶材料など）から形成される。各真空チューブ２００の第２端は、をシェルアセンブリ１０７’中のそれぞれの孔１１６を通って延び、シェルアセンブリ１０７’の内部チャンバ１５０内に配置される。真空チューブ２００の第２端２００ｂの位置は、フィンガーアクチュエータ２０４を、細長本体１０４に対して、内部チャンバ１５０内の位置からシェルアセンブリ１０７’の外部の位置まで移動することによって、再配置され得る。真空チューブ２００の長さは、真空チューブ２００の端２００ｂを、シェルアセンブリ１０７’の内部チャンバ１５０内からアンビルアセンブリ１０８までの任意の位置に配置することを容易にするように選択され得ることが、構想される。真空チューブ２００はまた、シェルアセンブリ１０７’の半径方向外側に配置された組織と係合する長さであり得る。図１１に図示される一つの好ましい実施形態において、真空チューブ２００’が展開位置へと動かされる場合、真空チューブ２００’は、シェルアセンブリ１０７’の外側に自然に半径方向に曲がる弾性材料もしくは形状記憶材料で形成される。チューブ２００は、好ましくは組織（例えば、粘膜組織）と係合する長さであり、管腔（例えば、肛門）の内壁を規定する。チューブ２００は、組織と係合するように展開され得、シェルアセンブリ内に組織を引くように非展開位置へと戻され得る。
【００３３】
本明細書中で開示された実施形態に対して、種々の改変がなされ得ることが理解される。例えば、本明細書中で開示された真空デバイスは、環状外科用ステープリング装置のシェルアセンブリを通る真空チャネルを提供することによって、シェルアセンブリ中に通気孔を有さない環状外科手術用ステープリング装置に組み込まれ得る。したがって、上記の記載は、限定として解釈されるべきではなく、好ましい実施形態の単なる例示としてのみ解釈されるべきである。当業者は、本明細書に添付される特許請求の範囲の範囲および精神の範囲内で、他の改変を構想する。
【図面の簡単な説明】
【００３４】
【図１】図１は、従来の環状外科用ステープリング装置の側方透視図である。
【図２】図２は、図１に示される環状外科用ステープリング装置の遠位端の側方断面図である。ここに開示される真空デバイスまたはカラー（ｃｏｌｌａｒ）の好ましい一実施形態が、シェルアセンブリの一部の周囲に配置されている。
【図２Ａ】図２Ａは、図２に示される真空カラー（ｃｏｌｌａｒ）の側方透視図であり、真空コンジットの一部を切り出している。
【図３】図３は、図１に示される環状外科用ステープリング装置の遠位端の側方断面図であり、ここに開示される真空デバイス別の好ましい実施形態が、そのシェルアセンブリに固定されている。
【図４】図４は、そのシェルアセンブリ内で真空を引くための好ましい手段を備える、肛門内に配置された環状外科用ステープリング装置の遠位端部の側面断面図を例示する。
【図５】図５は、そのシェルアセンブリ内で真空を引くための別の好ましい手段を備える、肛門内に配置された環状外科用ステープリング装置の遠位端部の側面断面図を例示する。
【図６】図６は、そのシェルアセンブリ内で真空を引くための別の好ましい手段を備える、肛門内に配置された環状外科用ステープリング装置の遠位端部の側面断面図を例示する。
【図７】図７は、その外科用ステープリング装置のシェルアセンブリに固定された本開示の真空デバイスの別の好ましい実施形態を有する、肛門内に配置された図１に示される環状外科用ステープリング装置の側面断面図である。
【図８】図８は、非展開位置にある、その外科用ステープリング装置のシェルアセンブリに固定された、本開示の真空デバイスのなお別の好ましい実施形態を有する、図１に示されるその環状外科用ステープリング装置の側面断面図である。
【図９】図９は、そのアンビルアセンブリが外された、図８に示されるその外科用ステープリング装置の平面図である。
【図１０】図１０は、その展開位置にある真空デバイスとともに、図８に示されるその外科用ステープリング装置の側面断面図である。
【図１１】図１１は、展開位置において、その外科用ステープリングデバイスのシェルアセンブリに固定された、本開示の真空デバイスの別の好ましい実施形態とともに、図１に示されるその環状ステープリング装置の側面断面図である。
【図１】
0004468821.tif 000002
【図２】
0004468821.tif 000003
【図２Ａ】
0004468821.tif 000004
【図３】
0004468821.tif 000005
【図４】
0004468821.tif 000006
【図５】
0004468821.tif 000007
【図６】
0004468821.tif 000008
【図７】
0004468821.tif 000009
【図８】
0004468821.tif 000010
【図９】
0004468821.tif 000011
【図１０】
0004468821.tif 000012
【図１１】
0004468821.tif 000013